(57)【要約】【課題】  本発明の課題は、装着された首掛けラベルが不用意に外れ難く、さらに、意匠性に優れた首掛けラベル付き容器を提供することである。【課題手段】  本発明の首掛けラベル付き容器は、容器の首部２２に装着された首掛けラベル１が、孔部３１を有して向かい合う左右一対の押さえ片５Ｌ，５Ｒと、左右の押さえ片５Ｌ，５Ｒの各一側端部にそれぞれ連設され且つ左右の押さえ片５Ｌ，５Ｒの下面に配置された第１表示片６１と、左右の押さえ片５Ｌ，５Ｒの各他側端部にそれぞれ連設され且つ左右の押さえ片５Ｌ，５Ｒの下面に配置された第２表示片６２と、を有し、左右の押さえ片５Ｌ，５Ｒがそれぞれ上向き凸状に湾曲しており、第１表示片６１及び第２表示片６２の両側部が容器２の周方向に湾曲していると共に、第１表示片６１及び第２表示片６２の中央部が容器２の首部２２に従って湾曲しつつ立ち上がっている。【選択図】  図１
2010274951.tif 000002
【特許請求の範囲】
【請求項１】
首掛けラベルの孔部から容器の上部に首掛けラベルを挿入して押し下げることにより、前記容器の首部に前記首掛けラベルが装着された首掛けラベル付き容器であって、
前記首掛けラベルが、前記孔部を有して向かい合う左右一対の押さえ片と、前記左右の押さえ片の各一側端部にそれぞれ連設され且つ前記孔部を含んで前記左右の押さえ片の下面に配置された第１表示片と、前記左右の押さえ片の各他側端部にそれぞれ連設され且つ前記孔部を含んで前記左右の押さえ片の下面に配置された第２表示片と、を有し、
容器に装着された状態において、前記左右の押さえ片がそれぞれ上向き凸状に湾曲しており、前記湾曲した左右の押さえ片によって前記第１表示片及び第２表示片の両側部が上方から押さえられることにより、前記第１表示片及び第２表示片の両側部が前記容器の周方向に湾曲していると共に、前記第１表示片及び第２表示片の中央部が前記容器の首部に従って湾曲しつつ立ち上がっていることを特徴とする首掛けラベル付き容器。
【請求項２】
前記左右の押さえ片の各中央部には、前記孔部側に延設された第３表示片及び第４表示片を有し、前記第３表示片と第４表示片が、前記湾曲した左右の押さえ片に追従して前記容器の首部に従って湾曲しつつ立ち上がっている請求項１に記載の首掛けラベル付き容器。
【請求項３】
前記第１表示片の上縁又は第２表示片の上縁の少なくとも何れか一方が、容器の首部に形成された段部に係止されている請求項１又は２に記載の首掛けラベル付き容器。
【発明の詳細な説明】
【技術分野】
【０００１】
本発明は、容器の首部に首掛けラベルが装着された首掛けラベル付き容器に関する。
【背景技術】
【０００２】
従来、消費者に対して宣伝広告効果を高める目的で、商品名、懸賞案内などの各種広告を表示した首掛けラベル（掛止ラベルとも呼ばれる）を、容器に装着することが行われている。
【０００３】
例えば、特許文献１の図８等には、ラベルを容器の首部に装着することによって、第１基材によって形成される対向した２つの平坦状の立ち上げ面と、第２基材によって形成される対向した２つの平坦状の立ち上げ面からなる、計４面の立ち上げ面が立ち上がった首掛けラベル付き容器が開示されている。
また、特許文献２の図５等には、ラベルを容器の首部に装着することによって、広告を表示する２つの平坦状の開放板が容器の首部の側面に対向して立ち上がり、前記開放板が、湾曲状の枠部の剛性により、首部の両側面に押し付けられた首掛けラベル付き容器が開示されている。
【先行技術文献】
【特許文献】
【０００４】
【特許文献１】特開２００５−６２７０２号公報
【特許文献２】特開２００２−１４０００２号公報
【発明の概要】
【発明が解決しようとする課題】
【０００５】
上記特許文献１の首掛けラベル付き容器は、ラベルの２つの立ち上げ面の一部が容器の段部に係止されるので、不用意に抜け難く、さらに、容器の四方から立ち上げ面に表示された広告が見えるので好ましい。
しかしながら、特許文献１の首掛けラベル付き容器は、ラベルの各立ち上げ面の側端部がそれぞれ略直交しているので、全体として角張った感じを消費者に与える。特に、容器が全体的に略円筒状に形成されている場合、その容器の形状と首掛けラベルの角張った形状が適合せず、首掛けラベル付き容器全体の意匠性が低下する。
一方、上記特許文献２の首掛けラベル付き容器は、２つの開放板の正面から首掛けラベルを見た場合、この開放板に表示された広告が良好に見えるが、この開放板の面と平行な方向（開放板の横側）から首掛けラベルを見た場合、広告が良好に見えない。すなわち、良好に広告が見える方向が限定される問題点がある。
【０００６】
本発明の第１の目的は、装着された首掛けラベルが不用意に外れ難く、さらに、意匠性に優れた首掛けラベル付き容器を提供することである。
本発明の第２の目的は、意匠性に優れ、容器の四方から広告が良好に見える首掛けラベル付き容器を提供することである。
【課題を解決するための手段】
【０００７】
本発明の首掛けラベル付き容器は、首掛けラベルの孔部から容器の上部に首掛けラベルを挿入して押し下げることにより、前記容器の首部に前記首掛けラベルが装着されており、前記首掛けラベルが、前記孔部を有して向かい合う左右一対の押さえ片と、前記左右の押さえ片の各一側端部にそれぞれ連設され且つ前記孔部を含んで前記左右の押さえ片の下面に配置された第１表示片と、前記左右の押さえ片の各他側端部にそれぞれ連設され且つ前記孔部を含んで前記左右の押さえ片の下面に配置された第２表示片と、を有し、容器に装着された状態において、前記左右の押さえ片がそれぞれ上向き凸状に湾曲しており、前記湾曲した左右の押さえ片によって前記第１表示片及び第２表示片の両側部が上方から押さえられることにより、前記第１表示片及び第２表示片の両側部が前記容器の周方向に湾曲していると共に、前記第１表示片及び第２表示片の中央部が前記容器の首部に従って湾曲しつつ立ち上がっている。
【０００８】
上記首掛けラベル付き容器は、湾曲した左右の押さえ片によって、第１表示片及び第２表示片の両側部が上方から押さえられているので、湾曲した第１表示片及び第２表示片がそれぞれ容器の首部側に付勢されている。このため、第１表示片及び第２表示片の一部分が容器の首部に強く押さえ付けられ、装着された首掛けラベルが不用意に外れ難い。
さらに、上記首掛けラベル付き容器は、第１表示片及び第２表示片の両側部が容器の周方向に湾曲し、さらに、第１表示片及び第２表示片の中央部が容器の首部に従って湾曲しつつ立ち上がっている。このため、首掛けラベルの表示片が曲面的な形状をなし、意匠性に優れた首掛けラベル付き容器を提供できる。
【０００９】
本発明の好ましい首掛けラベル付き容器は、前記左右の押さえ片の各中央部には、前記孔部側に延設された第３表示片及び第４表示片を有し、前記第３表示片と第４表示片が、湾曲した左右の押さえ片に追従して容器の首部に従って湾曲しつつ立ち上がっている。
かかる首掛けラベル付き容器は、前記第１表示片及び第２表示片に加えて、左右の押さえ片の各中央部に延設された第３表示片及び第４表示片が、容器の首部に従って湾曲しつつ立ち上がっているので、容器の四方から各表示片に表示された広告が見える。
また、前記第１表示片及び第２表示片と共に、第３表示片及び第４表示片も容器の首部に従って湾曲しているので、首掛けラベルの表示片全体が曲面的な形状をなし、意匠性に優れた首掛けラベル付き容器を提供できる。
【００１０】
本発明の好ましい首掛けラベル付き容器は、前記第１表示片の上縁又は第２表示片の上縁の少なくとも何れか一方が、容器の首部に形成された段部に係止されている。
かかる首掛けラベル付き容器は、第１表示片の上縁又は第２表示片の上縁の少なくとも何れか一方が容器の首部に形成された段部に係止されているので、首掛けラベルが容器の上方に抜けて外れることを確実に防止できる。
【発明の効果】
【００１１】
本発明の首掛けラベル付き容器は、装着された首掛けラベルが不用意に外れ難く、さらに、装着された首掛けラベルの表示片が曲面的な形状をなすため、意匠性に優れている。
本発明の好ましい首掛けラベル付き容器は、容器の四方から広告が良好に見える。このため、首掛けラベル付き容器の陳列時に、その向きを揃えなくても、首掛けラベルの表示片に表示された広告を消費者に見せることができる。
【図面の簡単な説明】
【００１２】
【図１】本発明の１つの実施形態に係る首掛けラベル付き容器の斜視図。
【図２】図１の首掛けラベル付き容器に使用された首掛けラベルの上面図。ただし、薄墨塗り部分は、接着部を示す（他の図も同様）。
【図３】同下面図。
【図４】同右側面図。
【図５】同首掛けラベルを容器に装着する直前の状態を表した斜視図。
【図６】変形例１に係る首掛けラベル付き容器の斜視図。
【図７】変形例１の首掛けラベル付き容器に使用された首掛けラベルの上面図。
【図８】変形例２に係る首掛けラベル付き容器の斜視図。
【図９】変形例２の首掛けラベル付き容器に使用された首掛けラベルの上面図。
【図１０】図９のＡ−Ａ線断面図。
【図１１】変形例３に係る首掛けラベル付き容器の斜視図。
【図１２】変形例３の首掛けラベル付き容器に使用された首掛けラベルの上面図。
【図１３】図１２のＢ−Ｂ線断面図。
【図１４】変形例４に係る首掛けラベル付き容器の斜視図。
【図１５】変形例４の首掛けラベル付き容器に使用された首掛けラベルの上面図。
【図１６】同首掛けラベルの第１表示片及び第２表示片を開いた状態で表した上面図。
【発明を実施するための形態】
【００１３】
図１に於いて、１０は、容器２の首部２２に首掛けラベル１が装着された首掛けラベル付き容器を示す。
首掛けラベル１は、その孔部３１を容器２の上部から挿入し、該ラベル１を押し下げることにより、容器２の首部２２の所定位置に装着されている。
【００１４】
容器２は、胴部２１と首部２２を有していれば特に限定されない。容器２としては、例えば、飲料などを入れるボトル型容器（例えば、ＰＥＴボトルなど）、シャンプーなどを入れる容器などが挙げられる。
容器２の大きさや外形についても特に限定されないが、本発明の首掛けラベル１は、少なくとも首部２２及び胴部２１が円筒状である容器２に装着することが好ましい。本発明の首掛けラベル１は、装着時に、その表示片が曲面的な形状を成しているので、円筒状の首部２２及び胴部２１を有する容器２の形状に適合し、特に、意匠性に優れた首掛けラベル付き容器１０を提供できる。
容器２の具体例としては、図１に示すように、収納空間を内部に有する円筒状の胴部２１と、該胴部２１の上方に形成され且つ胴部２１から徐々に縮径した首部２２と、該首部２２の上部に着脱可能に取り付けられたキャップ部２３と、該キャップ部２３の下方に突設された鍔状のフランジ部２４と、を有する容器が挙げられる。このフランジ部２４の下方には、段部２５が生じている。
ここで、本明細書において、容器の首部は、胴部の上方に形成された、胴部よりも小径の部分を意味する。容器の首部は、一般に、容器の肩部と呼ばれている部分をも含む。また、容器の段部は、首部に形成された凸部又は凹部を含む。
【００１５】
未装着状態の首掛けラベル１は、図２〜図４に示すように、容器２の上部から挿入可能な孔部３１を有する上側シート３と、前記上側シート３の孔部３１を含んで上側シート３の下面に配置された下側シート４と、を有し、前記上側シート３の一方向両側端部と下側シート４の一方向両端側部が接着されている（この接着された部分を、接着部３２という）。
上側シート３は、向かい合った左右一対の押さえ片５Ｌ，５Ｒと、該左右の押さえ片５Ｌ，５Ｒの中央部から孔部３１側に延設された第３表示片６３及び第４表示片６４と、を有する。
下側シート４は、前記左右の押さえ片５Ｌ，５Ｒの各一側端部にそれぞれ連設され且つ孔部３１を含んで左右の押さえ片５Ｌ，５Ｒの下面に配置された第１表示片６１と、前記左右の押さえ片５Ｌ，５Ｒの各他側端部にそれぞれ連設され且つ孔部３１を含んで左右の押さえ片５Ｌ，５Ｒの下面に配置された第２表示片６２と、を有する。
【００１６】
具体的には、上側シート３及び下側シート４は、所定の平面視形状（例えば、平面視略矩形状など）に形成されている。
上側シート３及び下側シート４の大きさは、特に限定されず、装着される容器２の大きさや形状に応じて適宜設定できる。例えば、上側シート３及び下側シート４がそれぞれ平面視略矩形状に形成される場合、両シートの縦×横は、３０ｍｍ〜１００ｍｍ×３０ｍｍ〜１００ｍｍ程度である。
上側シート３及び下側シート４は、適度な剛性と可撓性を有するシート材から構成されている。該シート材は、特に限定されず、紙、厚紙、合成紙、合成樹脂シート、合成樹脂発泡シート、これらの積層体、これらと他のシートの積層体などを用いることができる。好ましくは、前記シート材としては、合成紙、紙、合成樹脂シートが用いられる。紙を用いる場合には、その目付量が６０〜１５０ｇ／ｍ２程度のものが好ましい。合成紙又は合成樹脂シートを用いる場合には、その厚みが３０μｍ〜１５０μｍ程度のものが好ましい。上側シート３及び下側シート４は、同一のシート材でもよいし、材質及び／又は厚みが異なるシート材でもよい。
【００１７】
上側シート３のうち少なくとも第３表示片６３及び第４表示片６４の上面には、広告が表示されている（広告は、図示せず）。なお、この広告は、上側シート３の上面全体（第３表示片６３及び第４表示片６４の上面、左右の押さえ片５Ｌ，５Ｒの上面及び接着部３２の上面）に表示されていてもよい。また、下側シート４のうち少なくとも第１表示片６１及び第２表示片６２の上面（上側シート３に重ねられた面）にも、広告が表示されている。なお、この広告は、下側シート４の上面全体に表示されていてもよい。
前記広告は、商品名、懸賞案内、商品説明などの任意の表示である。広告は、従来公知の印刷法でシートに施すことができる。
【００１８】
上側シート３の面内の中央部には、例えば平面視略Ｈ字状の切り目が形成されている。この切り目は、上側シート３に孔部３１を形成すると共に、左右一対の押さえ片５Ｌ，５Ｒ、第３表示片６３及び第４表示片６４を形成するためのものである。
該切り目は、上側シート３の中央部において一方向に伸びる第１切り目７１と、第１切り目７１の一端部から上側シート３の他方向左側端部側に伸びる第２切り目７２と、第１切り目７１の一端部から上側シート３の他方向右側端部側に伸びる第３切り目７３と、第１切り目７１の他端部から上側シート３の他方向左側端部側に伸びる第４切り目７４と、第１切り目７１の他端部から上側シート３の他方向右側端部側に伸びる第５切り目７５と、からなる。
ただし、前記一方向は、上側シート３の任意の方向を意味し、前記他方向は、上側シート３の面内において、前記一方向と直交する方向をいう。例えば、上側シート３が、平面視矩形状に形成されている場合、前記一方向は、その縦辺又は横辺と平行な方向が好ましい。
前記各切り目の形状は、第３及び第４表示片６３，６４の形状に合わせて任意に設定できる。第３及び第４表示片６３，６４が立ち上がったときの負荷を小さくできることから、前記第２、第３、第４及び第５切り目７２，７３，７４，７５の端部（第１切り目７１と連設していない側の端部）を弧状に形成することが好ましい。
【００１９】
上側シート３の左側端部の中で切り目が形成されていない帯状の領域が、左押さえ片５Ｌであり、上側シート３の右側端部のうち切り目が形成されていない帯状の領域が、右押さえ片５Ｒである。また、上側シート３の中で第１切り目７１、第２切り目７２及び第４切り目７４で区画された領域が、第３表示片６３であり、上側シート３の中で第１切り目７１、第３切り目７３及び第５切り目７５で区画された領域が、第４表示片６４である。切り目において第３表示片６３及び第４表示片６４を押し上げることによって生じる開口が、孔部３１である。
従って、帯状の左右の押さえ片５Ｌ，５Ｒは、両者の間に孔部３１を有して向かい合っており、左押さえ片５Ｌの一方向中央部には、前記孔部３１側に延設された第３表示片６３を有し、右押さえ片５Ｒの一方向中央部には、前記孔部３１側に延設された第４表示片６４を有する。
【００２０】
上側シート３の一方向両側端部と下側シート４の一方向両側端部は、所定幅帯状に接着されている。なお、接着は、接着剤を用いてもよいし、上側シート３及び下側シート４が溶剤接着可能なシート材で形成されている場合には、溶剤接着でもよいし、両者が熱シール可能なシート材で形成されている場合には、熱シールでもよい。なお、図２及び図３において、接着部３２を判りやすく表すため、接着部３２を薄墨塗りで示す。前記接着部３２の接着幅は、特に限定されず、上側シート３及び下側シート４の大きさに応じて適宜設定できる。上側シート３が、例えば、縦４ｃｍ〜１５ｃｍ、横４ｃｍ〜１５ｃｍの矩形状の場合、前記接着部３２の幅は、３ｍｍ〜１０ｍｍ程度が好ましい。
なお、上側シート３及び下側シート４が１枚のシート材を折り返して形成される場合には、前記接着部３２は、設けられていなくてもよい。
【００２１】
次に、下側シート４は、折り畳まれて上側シート３の下面に重ねられている。下側シート４は、両側端部の接着部３２を除き、上側シート３の下面に重ねられているだけである（非接着）。下側シート４は、その一方向中央部において、他方向に延びる分断切り目４１によって２つに分断されている。下側シート４の一方向一側端部から分断切り目４１までの片が、第１表示片６１であり、下側シート４の一方向他側端部から分断切り目４１までの片が、第２表示片６２である。従って、第１表示片６１の端部（下側シート４の一方向一側端部）は、左右の押さえ片５Ｌ，５Ｒの各一側端部にそれぞれ連設されている。第１表示片６１は、孔部３１を含んで左右の押さえ片５Ｌ，５Ｒの下面に配置されている。具体的には、第１表示片６１の中央部は、孔部３１の下方に配置され、且つ、第１表示片６１の両側部は、左右の押さえ片５Ｌ，５Ｒの下面に重ねられている。第２表示片６２の端部（下側シート４の一方向他側端部）は、左右の押さえ片５Ｌ，５Ｒの各他側端部にそれぞれ連設されている。第２表示片６２は、孔部３１を含んで左右の押さえ片５Ｌ，５Ｒの下面に配置されている。具体的には、第２表示片６２の中央部は、孔部３１の下方に配置され、且つ、第２表示片６２の両側部は、左右の押さえ片５Ｌ，５Ｒの下面に重ねられている。
【００２２】
上記首掛けラベル１は、下記のようにして容器２の首部２２に装着される。
図５に示すように、下側シート４を下に向け且つその分断切り目４１を容器２の上部に当て、首掛けラベル１を押し下げることにより、第１表示片６１及び第２表示片６２が上方に押し出されると同時に孔部３１が開き、さらに、左右の押さえ片５Ｌ，５Ｒが上向き凸状に湾曲すると共に第３表示片６３及び第４表示片６４が押し出される。
【００２３】
首掛けラベル１は、装着状態において、図１に示すように、左右の押さえ片５Ｌ，５Ｒがそれぞれ上向き凸状に湾曲している。第１表示片６１及び第２表示片６２の両側部は、その上方から前記湾曲した左右の押さえ片５Ｌ，５Ｒによって押さえつけられている。押さえ片５Ｌ，５Ｒによって押さえられた第１表示片６１及び第２表示片６２の両側部は、容器２の首部２２の周方向に湾曲し、これに追従して第１表示片６１及び第２表示片６２の中央部も容器２の首部２２に従って湾曲して立ち上がっている。湾曲して立ち上がった第１表示片６１及び第２表示片６２は、容器２の首部２２を挟んで向かい合っている。
また、左右の押さえ片５Ｌ，５Ｒの中央部にそれぞれ延設された第３表示片６３及び第４表示片６４は、湾曲した押さえ片５Ｌ，５Ｒにそれぞれ追従して容器２の首部２２に従って湾曲しつつ立ち上がっている。湾曲して立ち上がった第３表示片６３及び第４表示片６４は、容器２の首部２２を挟んで向かい合っている。また、第３表示片６３及び第４表示片６４は、第１表示片６１（又は第２表示片６２）に対して容器２の周方向に略９０度ずれた位置において立ち上がり、第３及び第４表示片６３，６４の両側部上方が第１及び第２表示片６１，６２の両側部上方にそれぞれ重なっている。
さらに、第１〜第４表示片６１〜６４の各上縁は、容器２の段部２５の下方に当たり、該段部２５に係止されている。
【００２４】
上記首掛けラベル付き容器１０は、第１表示片６１及び第２表示片６２の両側部が容器２の周方向に湾曲し、さらに、第１表示片６１及び第２表示片６２の中央部が容器２の首部２２を中心にして向かい合い、且つ首部２２に従って湾曲しつつ立ち上がっている。かかる首掛けラベル付き容器１０は、第１表示片６１及び第２表示片６２が曲面的な形状をなしているため、意匠性に優れている。特に、第３及び第４表示片６３，６４の両側部上方が第１及び第２表示片６１，６２の両側部上方にそれぞれ重なっているので、第１及び第２表示片６１，６２の両側部上方は、第３及び第４表示片６３，６４によって押さえられている。このため、第１及び第２表示片６１，６２は、全体的に曲面形状をなしており、より意匠性に優れている。
さらに、容器２の首部２２の周方向に、互いに対向する第１〜第４表示片６１〜６４が湾曲して立ち上がっているので、首掛けラベル１の表示片全体が曲面的な形状をなしており、特に意匠性に優れている。かかる首掛けラベル付き容器１０は、容器２の首部２２の四方から第１〜第４表示片６１〜６４に表示された広告が見えるので好ましい。
【００２５】
さらに、上記首掛けラベル付き容器１０は、第１表示片６１及び第２表示片６２の両側部が左右の押さえ片５Ｌ，５Ｒによって上方から押さえられているので、湾曲した第１表示片６１及び第２表示片６２がそれぞれ容器２の首部２２側に付勢されている。このため、第１表示片６１及び第２表示片６２の一部分が容器２の首部２２に強く押さえ付けられ、装着された首掛けラベル１が不用意に外れ難い。特に、本実施形態の首掛けラベル付き容器１０は、第１表示片６１及び第２表示片６２の上縁が、容器２の首部２２に係止されているので、装着された首掛けラベル１が上方に抜けて外れることを防止できる。
これに加えて、第３及び第４表示片６３，６４には、孔部３１側へ戻る力が作用しているため（装着前の状態に戻ろうとする力が作用しているため）、第３及び第４表示片６３，６４も容器２の首部２２側に付勢されている。よって、第３及び第４表示片６３，６４の一部分が容器２の首部２２に強く押さえ付けられ、装着された首掛けラベル１がより外れ難い。特に、第３及び第４表示片６３，６４の上縁が、図示したように、容器２の首部２２に係止されているので、装着された首掛けラベル１が上方に抜けて外れる虞がない。
【００２６】
なお、本発明の首掛けラベル付き容器は、上記実施形態に限られず、様々な態様に変更することができる。以下、本発明の首掛けラベル付き容器の各変形例を説明するが、主として上記実施形態と異なる構成及び効果について説明し、上記実施形態と同様の構成などについては、その説明を省略し、用語及び符号を援用することがある。
【００２７】
（変形例１）
変形例１の首掛けラベル付き容器１０を、図６に示す。
変形例１の首掛けラベル１は、上側シート３に形成された切り目の形状が上記実施形態と少し異なっている。すなわち、首掛けラベル１は、図７に示すように、第１切り目７１の端部から延びる第２切り目７２〜第５切り目７５が、それぞれ平面視弧状に形成されている。本変形例１は、この点を除いて、上記実施形態と同様である。
【００２８】
（変形例２）
変形例２の首掛けラベル付き容器１０を、図８に示す。
変形例２の首掛けラベル１は、上側シート３に一対の三角状の切り抜き窓部が形成されている点で、上記実施形態と異なっている。すなわち、首掛けラベル１は、図９及び図１０に示すように、上側シート３の面内に、頂点が接する一対の三角状の切り抜き窓部８１，８２が形成されている。この一対の切り抜き窓部８１，８２の左方の斜線で区画された領域が第３表示片６３であり、一対の切り抜き窓部８１，８２の右方の斜線で区画された領域が第４表示片６４である。第３表示片６３は左押さえ片５Ｌに連設され、且つ第４表示片６４は右押さえ片５Ｒに連設されていることは、上記実施形態と同様である。
【００２９】
（変形例３）
変形例３の首掛けラベル付き容器１０を、図１１に示す。
変形例３の首掛けラベル１は、上側シート３の中央部に切り抜き窓部が形成されている点、上側シート３の左右の押さえ片５Ｌ，５Ｒの中央部外縁から延設された第３表示片６３及び第４表示片６４が左右の押さえ片５Ｌ，５Ｒの下面側に重ねられている点で、上記実施形態と異なっている。すなわち、首掛けラベル１は、図１２及び図１３に示すように、矩形状の上側シート３の面内中央部に、矩形状の切り抜き窓部８３が形成されている。この切り抜き窓部８３の左側の帯状領域が左押さえ片５Ｌであり、切り抜き窓部８３の右側の帯状領域が右押さえ片５Ｒである。前記左右の押さえ片５Ｌ，５Ｒの外縁には、平面視台形状の第３表示片６３及び第４表示片６４が延設されている。この第３表示片６３及び第４表示片６４は、それぞれ左右の押さえ片５Ｌ，５Ｒの下面側に折り返され、下側シート４（第１表示片６１及び第２表示片６２）と押さえ片５Ｌ，５Ｒの間に配置されている。第３表示片６３の端部及び第４表示片６４の端部が互いに接するように、第３表示片６３及び第４表示片６４は折り返されている。なお、本変形例３の首掛けラベル１は、接着部は設けられていない。
【００３０】
変形例１〜３の首掛けラベル付き容器１０は、上記実施形態と同様に、首掛けラベル１が装着された状態において、上向き凸状に湾曲した左右の押さえ片５Ｌ，５Ｒによって第１表示片６１及び第２表示片６２の両側部が上方から押さえられ、第１表示片６１及び第２表示片６２の両側部が容器２の周方向に湾曲していると共に、第１〜第４表示片６１〜６４の中央部が容器２の首部２２に従って湾曲しつつ立ち上がっている。
【００３１】
（変形例４）
変形例４の首掛けラベル付き容器１０を、図１４に示す。
変形例４の首掛けラベル１は、上側シート３の中央部に切り抜き窓部が形成されている点、第１表示片６１及び第２表示片６２から延設された突出片部６１１，６２１が、左右の押さえ片５Ｌ，５Ｒの外縁よりも外方へ突出している点で、上記実施形態と異なっている。すなわち、首掛けラベル１は、図１５に示すように、矩形状の上側シート３の面内中央部に、矩形状の切り抜き窓部８４が形成されている。変形例４の首掛けラベル１は、上側シート３に第３表示片及び第４表示片が設けられていない。この上側シート３の一方向一側端部には、第１表示片６１が延設され、上側シート３の一方向他側端部には、第２表示片６２が延設されている。この第１表示片６１及び第２表示片６２は、平面視台形状に形成されている。第１表示片６１及び第２表示片６２は、左右の押さえ片５Ｌ，５Ｒの下面に重なるように、押さえ片５Ｌ，５Ｒの下面側に折り返されている（図１６の展開図において、折り返し方向を矢印で示し、第１及び第２表示片と上側シートの折り目を二点鎖線で示す）。折り返された状態において、第１表示片６１及び第２表示片６２の両側部は、押さえ片５Ｌ，５Ｒに重なっている。第１表示片６１及び第２表示片６２の両側部には、押さえ片５Ｌ，５Ｒの外縁よりも外方に突出（延出）した突出片部６１１，６２１を有する。なお、本変形例４の首掛けラベル１は、接着部は設けられていない。
【００３２】
変形例４の首掛けラベル付き容器１０は、首掛けラベル１が装着された状態において、上向き凸状に湾曲した左右の押さえ片５Ｌ，５Ｒによって第１表示片６１及び第２表示片６２の両側部が上方から押さえられ、第１表示片６１及び第２表示片６２の両側部が容器２の周方向に湾曲していると共に、第１及び第２表示片６１，６２の中央部が容器２の首部２２に従って湾曲しつつ立ち上がっている。また、第１及び第２表示片６１，６２から突出された突出片部６１１，６２１が、湾曲した第１及び第２表示片６１，６２に追従して容器２の首部２２の周方向に湾曲している。なお、湾曲した突出片部６１１，６１２は、両片部の一部分が重なっていてもよいし（図１４参照）、或いは、重なっていなくてもよい（図示せず）。変形例４の首掛けラベル１は、第３表示片６３及び第４表示片６４を有しないが、前記湾曲した突出片部６１１，６２１が第１表示片６１に対して容器２の周方向に略９０度ずれた位置において存在している。このため、第１及び第２表示片６１，６２並びにこれらの突出片部６１１，６２１に表示された広告が、容器２の四方から見える。
【産業上の利用可能性】
【００３３】
本発明の首掛けラベル付き容器は、飲料、調味料、食品、化粧品、シャンプーなどのサニタリー品を収納する容器として利用でき、特に、販売促進キャンペーン用容器として好適である。
【符号の説明】
【００３４】
１…首掛けラベル、２…容器、２１…容器の胴部、２２…容器の首部、２５…容器の段部、３…上側シート、３１…孔部、４…下側シート、５Ｌ，５Ｒ…左右の押さえ片、６１…第１表示片、６２…第２表示片、６３…第３表示片、６４…第４表示片
【図１】
2010274951.tif 000003
【図２】
2010274951.tif 000004
【図３】
2010274951.tif 000005
【図４】
2010274951.tif 000006
【図５】
2010274951.tif 000007
【図６】
2010274951.tif 000008
【図７】
2010274951.tif 000009
【図８】
2010274951.tif 000010
【図９】
2010274951.tif 000011
【図１０】
2010274951.tif 000012
【図１１】
2010274951.tif 000013
【図１２】
2010274951.tif 000014
【図１３】
2010274951.tif 000015
【図１４】
2010274951.tif 000016
【図１５】
2010274951.tif 000017
【図１６】
2010274951.tif 000018